(57)【要約】【課題】小型化・薄型化しても、騒音の発生を防止することができるプロジェクタ、およびカバー部材を提供する。【解決手段】プロジェクタ１はプロジェクタ本体１Ａと箱状のカバー部材８とから構成されている。プロジェクタ本体１Ａは筐体の底面全体をカバー部材８で覆われ、カバー部材８は側面部に吸気口８１が形成されるとともに、内部に空間（空気層）が形成されている。【選択図】図１
2006065090.tif 000002
【特許請求の範囲】
【請求項１】
光源と、この光源から射出された光束を画像情報に応じて変調して光学像を形成する光変調装置と、前記光変調装置により形成された光学像を拡大投射する投射光学系と、前記光源および前記光変調装置を含む機器本体を内部に収納する筐体とを含んで構成されるプロジェクタ本体を備えたプロジェクタであって、
前記筐体は、前記プロジェクタ本体設置用の脚部が設けられる底面部を有し、
この底面部には、前記筐体内部の機器本体を冷却する冷却空気を導入する冷却空気導入口が形成され、
前記底面部に対して着脱可能に固定され、前記筐体底面部全体を覆う箱状のカバー部材を備え、
このカバー部材には、該カバー部材の内外を連通させる吸気口が形成されていることを特徴とするプロジェクタ。
【請求項２】
請求項１に記載のプロジェクタにおいて、
前記カバー部材は、前記プロジェクタ本体に装着されたときに、前記筐体の底面部と対向する対面部と、この対面部の外周端部から起立し、前記筐体の底面部と当接する側面部とを備え、
前記吸気口は、前記カバー部材の側面部に形成されていることを特徴とするプロジェクタ。
【請求項３】
請求項１または請求項２に記載のプロジェクタにおいて、
前記筐体の底面部には、前記プロジェクタ本体を天井吊り下げするためのねじ孔が形成され、
前記カバー部材には、前記カバー部材を前記筐体の底面部に装着したときに、前記ねじ孔に対応する位置に貫通孔が形成されており、
前記カバー部材は、この貫通孔に挿通されるねじによって固定されることを特徴とするプロジェクタ。
【請求項４】
請求項１ないし請求項３のいずれかに記載のプロジェクタにおいて、
前記吸気口には、防塵フィルタが設けられることを特徴とするプロジェクタ。
【請求項５】
請求項１ないし請求項４のいずれかに記載のプロジェクタにおいて、
前記カバー部材には、把手が設けられることを特徴とするプロジェクタ。
【請求項６】
請求項５に記載のプロジェクタにおいて、
前記把手は、前記カバー部材を前記プロジェクタ本体に装着したときに、前記投射レンズに応じた位置に突設されていることを特徴とするプロジェクタ。
【請求項７】
光源と、この光源から射出された光束を画像情報に応じて変調して光学像を形成する光変調装置と、前記光変調装置により形成された光学像を拡大投射する投射光学系と、前記光源および前記光変調装置を含む機器本体を内部に収納する筐体とを備えたプロジェクタ本体に装着されるプロジェクタ用カバー部材であって、
前記プロジェクタ本体設置用の脚部が設けられ、かつ前記筐体内部の機器本体を冷却する冷却空気を導入する冷却空気導入口が形成された前記筐体の底面部に装着され、
前記底面部と対向配置される対面部と、この対面部を囲むように起立する側面部とを備え、
この側面部には、内外を連通させる吸気口が形成されていることを特徴とするプロジェクタ用カバー部材。
【発明の詳細な説明】
【技術分野】
【０００１】
本発明は、プロジェクタ、およびプロジェクタ用カバー部材に関する。
【背景技術】
【０００２】
従来より、光源装置から射出された光束を、画像情報に応じて光変調装置で変調して光学像を形成し、該光学像を拡大投射するプロジェクタが知られている。
近年、このようなプロジェクタは、会議、学会、展示会等でのプレゼンテーションといった、いわゆるプレゼンテーション用途に限らず、家庭におけるホームシアター用途への展開も図られている。
このようなプロジェクタは、メタルハライドランプ、高圧水銀ランプ等の光源装置や、電源ユニット、光源駆動回路等の高温となる部分を備え、高温部分の熱が光変調装置に影響を与えないようにするため、これらを含む機器内部を効率的に冷却することが重要である。
ここで、ホームシアター用途のプロジェクタでは、静粛性が重視されるため、特定の配置構造を持った複数のシロッコファンを低回転数で運転することにより、静粛性を重視した設計が試みられている（例えば、特許文献１参照）。
一方、プレゼンテーション用途のプロジェクタでは、ハンドリング性や画面視認性が重視されるため、高輝度の光源装置を用い、さらに小型化が図られている。
【０００３】
【特許文献１】特開２００４−１３８９１１号公報
【発明の開示】
【発明が解決しようとする課題】
【０００４】
ところで、プレゼンテーション用のプロジェクタであっても、騒音に関しては、ホームシアター用と同様に、なるべく小さいほうが好ましく、ファンの振動や風切り音の発生を極力防止するような構成が望まれる。
しかしながら、前述したように小型化、高輝度化が進むほど、機器本体の冷却効率を向上させなければならず、ホームシアター用途のプロジェクタのように、大型のシロッコファンを用いて静粛性を確保することが困難であるという問題がある。
【０００５】
本発明の目的は、小型化・高輝度化しても、騒音の発生を防止することができるプロジェクタ、およびプロジェクタ用カバー部材を提供することにある。
【課題を解決するための手段】
【０００６】
本発明のプロジェクタは、光源と、この光源から射出された光束を画像情報に応じて変調して光学像を形成する光変調装置と、前記光変調装置により形成された光学像を拡大投射する投射光学系と、前記光源および前記光変調装置を含む機器本体を内部に収納する筐体とを含んで構成されるプロジェクタ本体を備えたプロジェクタであって、前記筐体は、前記プロジェクタ本体設置用の脚部が設けられる底面部を有し、この底面部には、前記筐体内部の機器本体を冷却する冷却空気を導入する冷却空気導入口が形成され、前記底面部に対して着脱可能に固定され、前記筐体底面部全体を覆う箱状のカバー部材を備え、このカバー部材には、該カバー部材の内外を連通させる吸気口が形成されていることを特徴とする。
本発明によれば、プロジェクタ本体の筐体の底面部全体を箱状のカバー部材が覆っており、カバー部材の内部には空間が形成されている。それ故、筐体の底面に形成された冷却空気導入口から内部の騒音が漏れても、このカバー部材の内部空間の存在により、プロジェクタの外部へ音が漏れだすことを効果的に防止できる。なお、プロジェクタ本体内部にある吸気ファンが回転して、冷却空気導入口からカバー部材内部の空気が取り込まれ、カバー部材内部が負圧となっても、カバー部材自体に吸気口が形成されているため、吸気自体に支障はない。
【０００７】
本発明のプロジェクタでは、前記カバー部材は、前記プロジェクタ本体に装着されたときに、前記筐体の底面部と対向する対面部と、この対面部の外周端部から起立し、前記筐体の底面部と当接する側面部とを備え、前記吸気口は、側面部に形成されていることが好ましい。
プロジェクタ本体の筐体の底面部には冷却空気導入口があり、筐体を絨毯のような柔らかい素材の上に置くと、吸気が妨げられるが、本発明のカバー部材を筐体の底面部に固定すれば、側面に形成された吸気口により安定して外気を吸引することができる。
【０００８】
本発明のプロジェクタでは、前記筐体の底面部には、前記プロジェクタ本体を天井吊り下げするためのねじ孔が形成され、前記カバー部材には、前記カバー部材を前記筐体の底面部に装着したときに、前記ねじ孔に対応する位置に貫通孔が形成されており、前記カバー部材は、この貫通孔に挿通されるねじによって固定されることが好ましい。
本発明では、カバー部材を筐体の底面に固定するために特別な手段を設ける必要がないので、利便性に優れる。
【０００９】
本発明のプロジェクタでは、前記吸気口には、防塵フィルタが設けられることが好ましい。
本発明では、カバー部材の吸気口に防塵フィルタを設けることにより、空気の汚れた場所においてもプロジェクタを長期間使用することが可能となる。なお、筐体の冷却空気導入口に設けられるフィルタと、カバー部材の吸気口に設けられるフィルタの目の粗さを変えてもよい。例えば、カバー部材の吸気口に目の粗いフィルタを設け、大きな塵埃はここで捕捉し、この目の粗いフイルタを通った小さな塵埃は筐体側のフィルタで捕捉することで、防塵効果やフィルタ寿命を向上させることができる。また、防塵フィルタの存在により、騒音防止効果も向上する。
【００１０】
本発明のプロジェクタでは、前記カバー部材に把手が設けられていることが好ましい。
本発明では、プロジェクタを持ち運ぶための把手は、プロジェクタ本体の筐体ではなく、プロジェクタ本体の筐体に備えられたカバー部材に設けられている。それ故、プロジェクタの筐体が小型化・薄肉化して、把手を設けることが設計上困難な場合であっても、把手を設けたカバー部材をプロジェクタ本体の筐体に固定することで、結果的に把手を設けたプロジェクタとすることができる。しかも、カバー部材は、プロジェクタ本体とは物理的に独立しているため、把手の設計の自由度が高くなる。逆に言えば、プロジェクタの小型化を図る上で把手が障害となることもない。
【００１１】
本発明のプロジェクタでは、前記把手は、前記カバー部材を前記プロジェクタ本体に装着したときに、前記投射レンズに応じた位置に突設されていることが好ましい。
本発明では、把手を握ってプロジェクタを持ち運ぶ場合、投射レンズが上を向くことになり、筐体から露出する投射レンズをぶつけて損傷する可能性が低くなる。また、従来、筐体のいわゆる前面に把手を設けようとしても、投射レンズや排気口などが位置しているため設計上困難であった。本発明における前記カバー部材は、プロジェクタ本体の筐体とは物理的に別個の部材であるため、投射レンズや排気口などの存在を考慮せずに把手を設計することができる。
【００１２】
本発明のプロジェクタ用カバー部材は、光源と、この光源から射出された光束を画像情報に応じて変調して光学像を形成する光変調装置と、前記光変調装置により形成された光学像を拡大投射する投射光学系と、前記光源および前記光変調装置を含む機器本体を内部に収納する筐体とから構成されたプロジェクタ本体に装着されるプロジェクタ用カバー部材であって、前記プロジェクタ本体設置用の脚部が設けられ、かつ前記筐体内部の機器本体を冷却する冷却空気を導入する冷却空気導入口が形成された前記筐体の底面部に装着され、前記底面部と対向配置される対面部と、この対面部を囲むように起立する側面部とを備え、この側面部には、内外を連通させる吸気口が形成されていることを特徴とする。
本発明によれば、プロジェクタ用カバー部材は上述したような構成を備えているので、上述したプロジェクタと同様の効果を享受できる。
【発明を実施するための最良の形態】
【００１３】
以下に、本発明を実施するための最良の形態を図面に基づいて詳述する。
（１）外観構成
図１は、本実施形態に係るプロジェクタ１を上方前面側から見た斜視図である。プロジェクタ１はプロジェクタ本体１Ａとカバー部材８を含んで構成される。プロジェクタ本体１Ａの外装ケース２（筐体）底面部には把手８０が設けられたカバー部材８が着脱可能に固定されている。図２は、プロジェクタ１からカバー部材８を分離した状態で、プロジェクタ本体１Ａの筐体を上方前面側から見た斜視図である。図３は、プロジェクタ本体１Ａの筐体を下方背面側から見た斜視図である。
【００１４】
プロジェクタ本体１Ａは、光源から射出された光束を画像情報に応じて変調し、スクリーン等の投射面上に拡大投射する。このプロジェクタ本体１Ａは、図２および図３に示すように、略直方体状の外装ケース２（筐体）、およびこの筐体から露出する投射レンズ４６を備えている。
【００１５】
投射レンズ４６は、プロジェクタ本体１Ａにより画像情報に応じて変調された光学像を拡大投射する。この投射レンズ４６は、筒状の鏡筒内に複数のレンズが収納された組レンズとして構成され、複数のレンズの相対位置を変更するレバー４６１、４６２（図２）を備え、投射像のフォーカス調整、および倍率調整可能に構成されている。なお、図１では投射レンズにレンズカバー４６３がかけられている。
【００１６】
外装ケース２は、合成樹脂製の筐体であり、プロジェクタ本体１Ａの基幹部分を収納する。この外装ケース２は、図２および図３に示すように、プロジェクタ本体１Ａの上部分を覆うアッパーケース１１と、プロジェクタ本体１Ａの下部分を覆うロアーケース１２と、プロジェクタ本体１Ａの背面部分を覆うリアケース１３とを備えている。これらアッパーケース１１、ロアーケース１２およびリアケース１３は、ねじ等により固定され、適宜着脱可能に構成されている。
【００１７】
アッパーケース１１は、図１から図３に示すように、プロジェクタ本体１Ａの上面、前面、側面、および背面をそれぞれ構成する上面部１１Ａ、前面部１１Ｂ、側面部１１Ｃ（図３）、１１Ｄ（図１、図２）および背面部１１Ｅ（図３）を含んで構成される。
このうち、上面部１１Ａおよび前面部１１Ｂは、図１または図２に示すように、プロジェクタ本体１Ａの上面から前面にかけて、連続して形成されている。
【００１８】
この上面部１１Ａにおいて、後方側右より部分には、図１および図２に示すように、プロジェクタ本体１Ａの起動・調整操作を実施する操作パネル１４が左右方向に延びるように設けられている。この操作パネル１４は、押釦スイッチで構成され、複数の操作ボタン１４１を適宜押下することにより、操作パネル１４内部に配置される図示しない回路基板に実装されたタクトスイッチと接触し、所望の操作が可能となる。
なお、前述した操作パネル１４の回路基板は、後述する制御基板と電気的に接続され、操作ボタン１４１の押下に伴う操作信号は、制御基板に出力される。ここで、制御基板は、プロジェクタ本体１Ａ全体の動作制御を行っている。
さらに、この上面部１１Ａにおいて、前方から見て右側部分には、図２に示すように、前述した投射レンズ４６のレバー４６１、４６２を露出させ、該レバー４６１、４６２の操作を可能にする開口１６が形成されている。
【００１９】
アッパーケース１１の前面部１１Ｂにおいて、前方から見て左側部分には、図１および図２に示すように、排気口１７が形成され、内部に配置される冷却ファンから排気される空気が該排気口１７を介して排出される。
また、排気口１７の上部にはカードスロット１１１が設けられており、ＬＡＮカードやメモリーカード等を利用できるようになっている。
さらに、この前面部１１Ｂにおいて、前方から見て右側部分には、略円形状の開口１８が形成されている。そして、この開口１８は、投射レンズ４６の先端部分を露出させている。
さらにまた、この前面部１１Ｂにおいて、前方から見て上方側右端部分には、図１および図２に示すように、リモコン受光窓１９が形成されている。そして、このリモコン受光窓１９の内側には、後述するリモートコントローラからの操作信号を受信する図示しないリモコン受光モジュールが配置されている。
なお、図示しないリモコン受光モジュールは、制御基板と電気的に接続され、該リモコン受光モジュールにて受信した操作信号は、制御基板に出力される。また、後述するが、これらリモコン受光窓およびリモコン受光モジュールは、プロジェクタ本体１Ａの背面側にも設けられている。そして、プロジェクタ本体１Ａの前方および後方の双方からリモートコントローラを用いてプロジェクタ本体１Ａの遠隔操作を実施できるように構成されている。
【００２０】
側面部１１Ｃ、１１Ｄには、図１ないし図３に示すように、プロジェクタ本体１Ａの後方から前方に向かって水平方向に延びる複数のリブを有する凹凸部が形成されている。なお、図示を略したが、この凹凸部の一部には、外部空気を導入する空気流通孔が形成されている。
【００２１】
ロアーケース１２は、図１および図３に示すように、プロジェクタ本体１Ａの底面、前面、側面、および背面をそれぞれ構成する底面部１２Ａ、前面部１２Ｂ、側面部１２Ｃ、１２Ｄ、背面部１２Ｅを含んで構成される。
【００２２】
底面部１２Ａには、図３に示すように、アッパーケース１１の側面部１１Ｃと背面部１１Ｅに近接する隅部に、矩形状の開口２１が形成されている。この開口２１には、該開口２１を覆うランプカバー２２が着脱自在に設けられている。
この底面部１２Ａにおいて、プロジェクタ本体１Ａの投射方向前方の投射レンズ４６に応じた位置には、段差状に凹部が形成されており、この凹部には、外部からの冷却空気を導入するための冷却空気導入口２３が形成されている。この冷却空気導入口２３には、該冷却空気導入口２３を覆う吸気口カバー２３Ａが設けられている。この吸気口カバー２３Ａには、複数の開口２３Ｂが形成されている。そして、これら開口２３Ｂ内側には、図示しない防塵フィルタが設けられており、内部への塵埃の侵入を防止している。
【００２３】
また、底面部１２Ａの左右両端部の略中央には、天吊り用ねじ孔１２１が形成されている。所定のねじにより、プロジェクタ本体１Ａを天井に吊るして映像を投射することができる。
【００２４】
さらに、この底面部１２Ａにおいて、プロジェクタ本体１Ａの投射方向後端右側には、プロジェクタ本体１Ａの筐体の脚部を構成する固定脚部２４が設けられ、一方、後方左角隅部分には同じくプロジェクタ本体１Ａの筐体の脚部を構成する調整脚部２５が設けられている。この調整脚部２５は、ロアーケース１２に形成された雌ねじ部に螺合するねじ軸状部材を含んで構成され、ねじの螺合位置を変更することにより、プロジェクタ本体１Ａの左右方向の傾きを調整することができる。
また、底面部１２Ａの投射方向前方略中央には、調整脚部２６が設けられている。この調整脚部２６は、フットおよび軸部を備え、底面部１２Ａの面外方向に進退自在に装着されている。投射位置を変更する場合、この調整脚部２６の進退量を変更することにより、スクリーン上の投射画像形成位置を上下に調整することができる。
なお、この底面部１２Ａの略中央には、プロジェクタ本体１Ａの筐体内部に配設された電源ユニットに冷却空気を導入するための吸気口２７が形成されている。
【００２５】
リアケース１３は、図３に示すように、ロアーケース１２の背面部１２Ｅの内側に形成された図示しない溝部に嵌め込み式で固定され、アッパーケース１１とロアーケース１２とが接続された状態で背面に形成される開口部分を塞ぐ。このリアケース１３は、図３に示すように、略矩形状の板体１３１と、この板体１３１の下端縁から該板体１３１に略直交して突出する突出部１３２とを備える。
このうち、突出部１３２は、図３に示すように、後方側に凸となるように形成されている。突出部１３２にはインレット端子３３及びスピーカ孔３４が設けられている。
【００２６】
アッパーケース１１、ロアーケース１２、およびリアケース１３を組み立てた状態では、突出部１３２の先端は、ロアーケース１２の背面部１２Ｅの上端と接続する。すなわち、リアケース１３の板体１３１は、プロジェクタ本体１Ａの背面から内側に離隔配置されている。
【００２７】
このリアケース１３において、板体１３１には、外部の電子機器からの画像信号、音声信号等を入力するための複数の接続端子３５が外部に露出している。この領域に位置する板体１３１の内側には、接続端子３５から入力される信号を処理する図示しないインターフェース基板が配置されている。接続端子３５の左側にはリモコン受光窓（図示せず）が形成されている。
なお、このインターフェース基板は、前述の制御基板と電気的に接続され、インターフェース基板にて処理された信号は、制御基板に出力される。
【００２８】
（２）内部構成
外装ケース２の内部には、プロジェクタ本体１Ａの基幹部分が収納されており、この基幹部分は、投射方向略中央部分で左右方向に延び、一方の端部が前方に延びる平面視略Ｌ字状の光学系４（図４）と、この光学系４の上方で投射レンズ４６側に配置される制御基板（図示せず）と、電源ユニット（図示せず）と、冷却空気導入口２３に応じた位置、および電源ユニットの角隅部分に配置される冷却ファンを含む冷却ユニット（図示せず）とを備える。
【００２９】
光学系４は、図４に模式的に示されるように、光源装置から射出された光束を画像情報に応じて変調して光学像を形成するユニットである。この光学系４は、インテグレータ照明光学系４１と、色分離光学系４２と、リレー光学系４３と、光変調装置および色合成光学装置を一体化した電気光学装置４４と、色合成光学系としてのクロスダイクロイックプリズム４５と、投射光学系としての投射レンズ４６と、これら光学部品４１、４２、４３、４４、４５、４６を収納配置する光学部品用筐体（図示せず）とに機能的に大別される。
【００３０】
インテグレータ照明光学系４１は、光源から射出された光束を照明光軸直交面内における照度を均一にするための光学系である。このインテグレータ照明光学系４１は、図４に示すように、光源装置４１１、第１レンズアレイ４１２、第２レンズアレイ４１３、偏光変換素子４１４、および重畳レンズ４１５を備えて構成される。
【００３１】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００３２】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を電気光学装置４４の後述する液晶パネル４４１Ｒ、４４１Ｇ、４４１Ｂ上に結像させる機能を有する。
【００３３】
偏光変換素子４１４は、第２レンズアレイ４１３からの光を略１種類の偏光光に変換するものであり、これにより、電気光学装置４４での光の利用効率が高められている。
具体的には、偏光変換素子４１４によって略１種類の偏光光に変換された各部分光束は、重畳レンズ４１５によって最終的に電気光学装置４４の後述する液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、電気光学装置４４における光の利用効率を高めている。なお、このような偏光変換素子４１４は、例えば、特開平８−３０４７３９号公報に紹介されている。
【００３４】
色分離光学系４２は、２枚のダイクロイックミラー４２１、４２２と、反射ミラー４２３とを備える。インテグレータ照明光学系４１から射出された複数の部分光束は、２枚のダイクロイックミラー４２１、４２２により赤（Ｒ）、緑（Ｇ）、青（Ｂ）の３色の色光に分離される。
ダイクロイックミラー４２１、４２２は、基板上に所定の波長領域の光束を反射し、他の波長領域の光束を透過する波長選択膜が形成された光学素子である。そして、光路前段に配置されるダイクロイックミラー４２１は、赤色光を反射し、その他の光を透過するミラーである。また、光路後段に配置されるダイクロイックミラー４２２は、緑色光を反射し、青色光を透過するミラーである。
【００３５】
リレー光学系４３は、入射側レンズ４３１と、リレーレンズ４３３と、ＵＶカットフィルタ４３４と、反射ミラー４３２、４３５とを備えている。このリレー光学系４３は、色分離光学系４２で分離された色光である青色光を電気光学装置４４の後述する液晶パネル４４１Ｂまで導く機能を有している。
【００３６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ、４４１Ｂの光入射側に設けられたフィールドレンズ４２４も同様である。
【００３７】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうち青色光を通す構成としたが、これに限らず、例えば、赤色光を通す構成としてもよい。
【００３８】
電気光学装置４４は、入射された光束を画像情報に応じて変調してカラー画像を形成する。この電気光学装置４４は、色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ、４４１Ｇ、４４１Ｂおよび射出側偏光板４４４とを備える。
【００３９】
液晶パネル４４１Ｒ、４４１Ｇ、４４１Ｂは、例えば、ポリシリコンＴＦＴをスイッチング素子として用いたものであり、対向配置される一対の透明基板内に液晶が密封封入されている。そして、この液晶パネル４４１Ｒ、４４１Ｇ、４４１Ｂは、入射側偏光板４４２および視野角補正板４４３を介して入射する光束を画像情報に応じて変調して射出する。なお、この液晶パネル４４１Ｒ、４４１Ｇ、４４１Ｂは、図示しない保持枠により収納保持されている。
【００４０】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ、４４１Ｇ、４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４１】
視野角補正板４４３は、基板上に液晶パネル４４１Ｒ、４４１Ｇ、４４１Ｂで形成された光学像の視野角を補正する機能を有する光学変換膜が形成されたものである。この視野角補正板４４３は、液晶パネル４４１Ｒ、４４１Ｇ、４４１Ｂで生じる複屈折を補償する。そして、この視野角補正板４４３により、投射画像の視野角が拡大され、かつ投射画像のコントラストが向上する。
【００４２】
クロスダイクロイックプリズム４５は、射出側偏光板４４４から射出され、各色光毎に変調された光学像を合成してカラー画像を形成するものである。このクロスダイクロイックプリズム４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。そして、クロスダイクロイックプリズム４５で合成されたカラー画像は、投射レンズ４６から射出されスクリーン上に拡大投射される。
【００４３】
以上説明した液晶パネル４４１Ｒ、４４１Ｇ、４４１Ｂ、射出側偏光板４４４およびクロスダイクロイックプリズム４５は、一体的にユニット化されている。
【００４４】
（３）カバー部材８の構成
カバー部材８は、プロジェクタ本体１Ａの外装ケース２（筐体）と同じく合成樹脂製であり、図５および図６に示すように、プロジェクタ本体１Ａの筐体との接続部分が開口された箱状体から構成される。そして、カバー部材８は、箱状体の底面を構成する対面部８Ａと、対面部８Ａの外周縁に沿って起立する側面部８Ｂ、８Ｃ、８Ｄ、８Ｅとを備え、側面部８Ｂには、把手８０が突出形成されている。
【００４５】
対面部８Ａは、図６に示すように、矩形板状体から構成され、その四隅部分には、脚部８２が一体的に形成されている。また、対面部８Ａの短辺の両側略中央には、一対の凹部８３形成されている。この凹部８３は、対面部８Ａの一部を半円形状に面外方向内側に窪ませることにより形成され、その底面には、図５に示されるように対面部８Ａの面外方向に貫通する貫通孔８４が形成されている。
【００４６】
側面部８Ｂ、８Ｃ、８Ｄ、８Ｅは、対面部８Ａの矩形辺から起立し、側面部８Ｂ、８Ｄ、８Ｅには吸気口８１が形成されている。この吸気口８１は、側面部８Ｂ、８Ｄ、８Ｅの起立方向に沿った複数のスリット状の孔を備えて構成され、図５および図６では図示を略したが、カバー部材８の内面には、各吸気口８１を覆うように防塵フィルタが配設される。
【００４７】
側面部８Ｂには、略中央部分に切欠８５が形成されており、プロジェクタ本体１Ａの底面部１２Ａに形成された調整脚部２６の位置に対応している。それ故、プロジェクタ本体１Ａにカバー部材８が取り付けられた後も、調整脚部２６は、この切欠８５を通して進退量を変更でき、プロジェクタ本体１Ａの前後方向の傾きを調整することができる。
【００４８】
また、この側面部８Ｂには、把手８０が一体的に形成され、この把手８０は、側面部８Ｂの端部近傍で接合され、中央に手がけ用の空間が形成されたアーチ状部材として構成される。
【００４９】
次に、前述したカバー部材８をプロジェクタ本体１Ａの筐体に装着する方法について説明する。
図７は、プロジェクタ本体１Ａの筐体とカバー部材８を、装着しようとする態様で示した斜視図である。カバー部材８の対面部８Ａには前述したように、その底面には、貫通孔８４が２つ形成されている。この貫通孔８４の位置は、プロジェクタ本体１Ａの筐体の底面部１２Ａに設けられた天吊り用ねじ孔１２１の位置に対応している。そしてカバー部材８は、この貫通孔８４に挿通されるねじ１２１Ａによって、プロジェクタ本体１Ａの筐体の底面部１２Ａに固定される。すなわち、カバー部材８の着脱は、特別な手段ではなく、天吊り用ねじ１２１Ａにより行われるため、利便性に優れる。
【００５０】
カバー部材８を固定した後のプロジェクタ１の外観は図１に示されている。カバー部材８は、プロジェクタ本体１Ａの筐体の底面部１２Ａ全体を覆う形でプロジェクタ本体１Ａと一体となり、プロジェクタ１を構成する。カバー部材８はプロジェクタ本体１Ａの筐体とデザイン的に統一されており、プロジェクタ１の筐体の一部として認識される。
【００５１】
図８はカバー部材８を固定した後のプロジェクタ１の断面図である。カバー部材８は、プロジェクタ本体１Ａの筐体の底面部１２Ａ全体を覆っており、内部に空間（空気層）８Ｆが存在する。従って、プロジェクタ本体１Ａが小型化・高輝度化して、機器内部の冷却効率を向上させた結果、冷却ファンからの騒音が激しくなった場合でも、冷却空気導入口２３から外部に漏れる騒音を効果的に遮断できる。
なお、カバー部材８自身にも吸気口８１が形成されているため、プロジェクタ１としての吸気性能に問題はない。
【００５２】
また、カバー部材８の内部空間８Ｆには、電源コードや各種の備品等が収納でき、プロジェクタ１の利便性の向上を図ることができる。
【００５３】
図５ないし図７に示すように、カバー部材８の吸気口８１は、カバー部材８の側面部８Ｂ、８Ｄ、８Ｅに設けられているため、例えば、プロジェクタ１を絨毯のような柔らかい表面を持つ場所に設置しても、プロジェクタとしての吸気能力を損なうことがない。すなわち、カバー部材８を取り付けていない状態に比べて、プロジェクタ１の吸気安定性がより優れる。
【００５４】
カバー部材８は、プロジェクタ本体１Ａの筐体に着脱可能に固定されているため、必要に応じて使用することが可能となる。すなわち、カバー部材は自由に着脱できるため、カバー部材を取り外した状態でプロジェクタを使用することもできる。それ故、騒音防止機能が必要な場合には、カバー部材８をプロジェクタ本体１Ａの筐体に固定して使用すればよく、収納等の事情でコンパクト性を優先する場合には、カバー部材を筐体から取り外せばよい。
【００５５】
カバー部材８の吸気口８１には図示しないが、防塵フィルタが取り付けられている。それ故、空気の汚れた場所においてもプロジェクタを長期間使用することが可能となる。また、プロジェクタ本体１Ａの底面部１２Ａの冷却空気導入口２３に設けられるフィルタと、カバー部材８の吸気口８１に設けられるフィルタの目の粗さを変えてもよい。例えば、カバー部材８の吸気口８１に目の粗いフィルタを設け、大きな塵埃はここで捕捉し、この目の粗いフィルタを通った小さな塵埃はプロジェクタ本体１Ａ側のフィルタで捕捉することで、防塵効果やフィルタ寿命を向上させることができる。また、防塵フィルタの存在により、騒音防止効果も向上する。
【００５６】
カバー部材８の側面部８Ｂには把手８０が設けられている。プロジェクタが小型化・薄肉化すると、設計上、把手を設ける位置を決めることが非常に困難となる。さらに、持ちやすさを考慮して把手自体を十分な大きさとすることも困難である。本実施形態では、プロジェクタ１を持ち運ぶための把手８０は、プロジェクタ本体１Ａの筐体ではなく、プロジェクタ本体１Ａの筐体に固定されたカバー部材８の側面部８Ｂに設けられている。それ故、プロジェクタ本体１Ａが小型化さらには薄肉化して、把手を設けることが設計上困難な場合であっても、把手８０を備えたカバー部材８をプロジェクタ本体１Ａの筐体に固定するだけでよい。すなわち、カバー部材８をプロジェクタ本体１Ａの筐体に固定するだけで、結果的に、十分な大きさがあり持ちやすい把手８０を備えたプロジェクタ１を得ることができる。
【００５７】
また、把手８０は、上述のようにカバー部材８の側面部８Ｂに設けられているが、側面部８Ｂは、プロジェクタ１の投射レンズ４６が位置する側、すなわち前面側であるため、把手８０を握ってプロジェクタ１を持ち運ぶ場合、投射レンズ４６が上を向くことになる。それ故、プロジェクタ１の前面から露出する投射レンズ４６をぶつけて損傷する可能性が低くなる。また、一般に、プロジェクタの前面側には、投射レンズや排気口があるため把手を設けることは設計上困難であったが、本発明のプロジェクタ１を構成するカバー部材８は、プロジェクタ本体１Ａの筐体とは物理的に別個の部材であるため、投射レンズ４６や排気口１７等の存在の影響は受けない。
【００５８】
（４）実施の形態の変形
なお、本発明は前述の実施形態に限定されるものではなく、本発明の目的を達成できる範囲での変形、改良等は本発明に含まれるものである。
例えば、前記した実施形態においては、プロジェクタ本体１Ａの筐体やカバー部材８は合成樹脂製としたが、これに限定されず、アルミニウム合金のような金属製としてもよい。金属製とすれば、騒音防止効果や電磁波遮蔽性がより向上する。
【００５９】
また、前記した実施形態においては、カバー部材８はプロジェクタ本体１Ａの筐体とデザイン的に統一されているとしたが、これには限定されない。プロジェクタ本体１Ａの筐体の外観デザインを考慮して、カバー部材８のデザインを決定することができるため、製品としてのプロジェクタに関して、品揃えの豊富化に寄与することも可能となる。例えば、カバー部材８の色彩をプロジェクタ本体１Ａの筐体の色彩とは変えて、ツートンカラーとしてもよい。すなわち、プロジェクタ本体１Ａの製造工程は何ら変更せず、カバー部材８の製造工程のみを若干変更するだけで、品揃えを増やすことが可能となり、市場ニーズに合わせた事業戦略が構築できる。
【００６０】
さらに、このカバー部材８の内部空間８Ｆを利用すれば、プロジェクタ本体１Ａの機能を向上させる各種の装置類を容易に配設することができる。例えば、カバー部材８の内部空間８ＦにＤＶＤドライブやハードディスクドライブ、さらには必要に応じて制御機構も配設することで、パソコンとの接続がなくとも、プロジェクタ１を使用することが可能となる。すなわち、各種の機能を付与したカバー部材８を固定・接続するだけで、容易にプロジェクタ１の機能変更・機能拡張を図ることが可能となる。特に、プロジェクタ本体１Ａの小型化・薄型化が進行した場合、プロジェクタに各種の機能を盛り込もうとしても、設計上種々の制限が生じるが、このカバー部材８を利用することで容易に機能を拡張することができる。
【００６１】
その他、本発明の実施における具体的な構造および形状は、本発明の目的および効果を妨げない範囲で他の構造物としてもよい。
【産業上の利用可能性】
【００６２】
本発明のプロジェクタは、小型化・薄型化によって設計の自由度が制限された場合でも、効果的に騒音を防止できる構造を持ち、防塵性にも優れ、さらに持ち運びにも便利なため、産業上有用である。
【図面の簡単な説明】
【００６３】
【図１】本実施形態におけるプロジェクタを上方前面側から見た斜視図
【図２】図1において、カバー部材を取り外したプロジェクタ本体の斜視図
【図３】図２のプロジェクタ本体を下方前面側から見た斜視図
【図４】前記実施形態における光学系を示す模式図
【図５】前記実施形態におけるカバー部材を上方前面側から見た斜視図
【図６】前記実施形態におけるカバー部材を下方前面側から見た斜視図
【図７】前記実施形態におけるプロジェクタをカバー部材とプロジェクタ本体とを並べて、下方前面側から見た斜視図
【図８】前記実施形態におけるプロジェクタの断面図
【符号の説明】
【００６４】
１・・・プロジェクタ、２・・・外装ケース（筐体）、８・・・カバー部材、８Ｆ・・・内部空間（空気層）、１２Ａ・・・底面部、２３・・・冷却空気導入口、２５・・・調整脚部、８０・・・把手、８１・・・吸気口、８３・・・凹部、８４・・・貫通孔、８５・・・切欠、１２１・・・天吊り用ねじ孔、１２１Ａ・・・ねじ
【図１】
2006065090.tif 000003
【図２】
2006065090.tif 000004
【図３】
2006065090.tif 000005
【図４】
2006065090.tif 000006
【図５】
2006065090.tif 000007
【図６】
2006065090.tif 000008
【図７】
2006065090.tif 000009
【図８】
2006065090.tif 000010